(57)【要約】【課題】遠隔監視装置の立上げ作業を容易に行うことを可能とする設備機器の遠隔監視システムを提供する。【解決手段】監視センター１へ登録されている遠隔監視装置５の電話番号情報を、該遠隔監視装置５からの電話番号情報の取得に応じて、監視センター１側で確認及び訂正を行い、遠隔監視装置５側での煩雑な手順を省略し、遠隔監視装置５の立上げ作業を容易に行うことを可能とした設備機器の遠隔監視システム。【選択図】図１
2006270794.tif 000002
【特許請求の範囲】
【請求項１】
設備機器を監視する遠隔監視装置と、これら複数の遠隔監視装置と通信回線を介して接続されて前記遠隔監視装置と通信するとともに前記遠隔監視装置が監視する設備機器の固有情報を記憶する記憶装置を備えた監視センターとを有してなる設備機器の遠隔監視システムにおいて、
前記遠隔監視装置は、前記固有情報を前記監視センターへ送信するよう構成し、
前記監視センターは、前記送信情報を受信することに応じて前記遠隔監視装置の電話番号情報と前記固有情報を取得し、受信した固有情報に基づき前記記憶装置に記憶された電話番号情報を確認し、記憶された電話番号情報と異なる場合は取得した電話番号情報とするよう記憶装置の情報を訂正するよう構成したことを特徴とする設備機器の遠隔監視システム。
【請求項２】
請求項１に記載の設備機器の遠隔監視システムにおいて、
前記監視センターは、前記受信した電話番号情報に基づき前記記憶装置に記憶された前記遠隔監視装置の立上げ情報を当該遠隔監視装置へ送信し、
前記遠隔監視装置は、この受信した立上げ情報を用いて監視設定を行うことを特徴とする設備機器の遠隔監視システム。  
【発明の詳細な説明】
【技術分野】
【０００１】
本発明は設備機器の遠隔監視システムに関する。
【背景技術】
【０００２】
エレベーター、給排水設備等の設備機器の遠隔監視を実施するにあたり、これらの設備機器を監視する遠隔監視装置の立上げ作業を行う必要がある。
【０００３】
従来における遠隔監視装置の立上げ作業方法としては、遠隔監視装置から監視センターへ立上げに必要な立上げ情報を要求して、監視センターから立上げ情報を取得することにより監視設定を行って立上げ作業を行っていた。
【０００４】
なお、その際、監視センタに登録されている自らの遠隔監視装置の電話番号が正しいかどうか事前に監視センタより情報を取得し、その確認を行っていた（特許文献１参照）。
【特許文献１】特開２０００−６９５７４公報（段落番号００１１〜００１３）
【発明の開示】
【発明が解決しようとする課題】
【０００５】
しかしながら、前記特許文献１に記載の従来技術においては、監視センタに登録されている電話番号情報を遠隔監視装置側で事前に確認せねばならないため、その立上げ作業を煩雑なものとしていた。
【０００６】
また、前記従来技術によれば、前記事前確認後、再度監視センタへ立上げ情報の送信要求を遠隔監視装置から行わねばならず、さらに立上げ作業全体の効率を悪くするという不都合があった。
【０００７】
本発明はこのような従来技術の問題点を鑑みてなされたもので、その目的は、遠隔監視装置の立上げ作業を容易に行うことを可能とする設備機器の遠隔監視システムを提供するにある。
【課題を解決するための手段】
【０００８】
上記目的を達成するために、本発明は、設備機器を監視する遠隔監視装置と、これら複数の遠隔監視装置と通信回線を介して接続されて前記遠隔監視装置と通信するとともに前記遠隔監視装置が監視する設備機器の固有情報を記憶する記憶装置を備えた監視センターとを有してなる設備機器の遠隔監視システムにおいて、前記遠隔監視装置は、前記固有情報を前記監視センターへ送信するよう構成し、前記監視センターは、前記送信情報を受信することに応じて前記遠隔監視装置の電話番号情報と前記固有情報を取得し、受信した固有情報に基づき前記記憶装置に記憶された電話番号情報を確認し、記憶された電話番号情報と異なる場合は取得した電話番号情報とするよう記憶装置の情報を訂正するよう構成したことを特徴とする。
【０００９】
本発明によれば上記の通り、監視センターへ登録されている遠隔監視装置の電話番号情報を、遠隔監視装置からの電話番号情報の取得に応じて、監視センター側で確認及び訂正を行えることから、遠隔監視装置側での煩雑な手順を省略することができ、遠隔監視装置の立上げ作業を容易に行うことを可能とする。
【００１０】
さらに本発明によれば、上記発明に加えて、前記監視センターは、前記受信した電話番号情報に基づき前記記憶装置に記憶された前記遠隔監視装置の立上げ情報を当該遠隔監視装置へ送信し、前記遠隔監視装置は、この受信した立上げ情報を用いて監視設定を行うことから、立上げ情報の取得までの手順を大幅に省略することができ、遠隔監視装置の立上げ作業を容易に行うことを可能とする。
【発明の効果】
【００１１】
本発明の設備機器の遠隔監視システムは、遠隔監視装置の立上げ作業を容易に行うことを可能とする。
【発明を実施するための最良の形態】
【００１２】
以下、本発明を実施するための最良の形態を図に基づいて説明する。図１及び図２は、本発明の一実施形態を示している。
【００１３】
ただし、図１は本発明の一実施形態を示す設備機器の遠隔監視システムの全体構成ブロック図である。
【００１４】
まず、図１を参照して本実施形態に係る設備機器の遠隔監視システムの基本的な構成を説明する。図１において、１は監視センター、２は公衆回線網、３はエレベーターや給排水設備などの設備機器が納入されたビル、４はエレベーターかごを運転させるエレベーター制御装置、５はエレベーター制御装置４と接続されエレベーター等の設備機器の状態を監視する遠隔監視装置、６は遠隔監視装置接続される携帯端末である。
【００１５】
なお、前記監視センター１には、前記設備機器の固有情報を記憶する記憶装置１ａが設けられている。
【００１６】
以下、図１を用いて、本発明における第一の実施形態を説明する。
【００１７】
エレベーター遠隔監視を実施するため、エレベーター制御装置４に取り付けた遠隔監視装置５の監視立上げ作業を実施する。この際、遠隔監視装置５に接続する携帯端末６より遠隔監視装置５に対して立上げ作業開始設定を行うと、遠隔監視装置５よりエレベーター
制御装置４からエレベーター固有の情報を取得し、その後遠隔監視装置５より公衆回線２を介して監視センター１へダイヤリングを実施する。
【００１８】
このとき監視センター１にて着信しデータ通信を行うことによって遠隔監視装置５がエレベーター制御装置４から取得したエレベーター固有情報を取得する。
【００１９】
監視センター１では着信した遠隔監視装置５より取得したエレベーター固有情報とあわせて電話番号情報をナンバーディスプレイ機能を利用して取得し、これらの情報を元に監視センター１にあらかじめ登録されている遠隔監視装置５の電話番号を確認し、異なる番号が登録されていれば訂正する。
【００２０】
このようにして本実施の形態によれば、監視センター１の記憶装置１ａに記憶される遠隔監視装置５の談話番号を実データで登録することができ、データ信頼性向上と電話番号登録間違いによる不要なダイヤリング防止、立上げ作業を容易に行うことを可能とした。
【００２１】
なお、上記遠隔監視装置５によるエレベーターの固有情報の送信の際に、別途にその他の設備機器の固有情報を送信し、その情報に基づき前記記憶装置１ａ内の予め登録されている電話番号情報を確認するようにしても同様の効果が得られる。
【００２２】
本発明によれば上記の通り、監視センター１へ登録されている遠隔監視装置５の電話番号情報を、該遠隔監視装置５からの電話番号情報の取得に応じて、監視センター１側で確認及び訂正を行えることから、遠隔監視装置５側での煩雑な手順を省略することができ、遠隔監視装置５の立上げ作業を容易に行うことを可能とする。
【００２３】
このように遠隔監視装置５の電話番号情報の確認ができたなら、次に、前記取得した電話番号もしくは固有情報から、監視センター１の記憶装置１ａにあらかじめ登録されている情報のうちの該当する遠隔監視装置５の立上げ情報を抽出する。
【００２４】
これにより今から監視立上げ作業を実施する遠隔監視装置５を特定する。監視センター１で監視立上げ作業を開始する遠隔監視装置５が特定できたら、監視センター１に登録されている監視情報を公衆回線２を介して遠隔監視装置５に送信し、監視初期設定を行う。
【００２５】
このように本発明において、監視センター１は、前記受信した電話番号情報もしくは固有情報に基づき前記記憶装置１ａに記憶された前記遠隔監視装置５の立上げ情報を当該遠隔監視装置５へ送信し、前記遠隔監視装置５は、この受信した立上げ情報を用いて監視設定を行うことから、立上げ情報の取得までの手順を大幅に省略することができ、遠隔監視装置の立上げ作業を容易に行うことを可能とする。
【図面の簡単な説明】
【００２６】
【図１】本発明の一実施形態を示す設備機器の遠隔監視システムの全体構成ブロック図である。
【符号の説明】
【００２７】
１  監視センター
１ａ  記憶装置
２  公衆回線網
３  ビル
４  エレベーター制御装置
５  エレベーター遠隔監視装置
６  携帯端末
【図１】
2006270794.tif 000003